(57)【特許請求の範囲】
【請求項１】
給水源からの水をそれぞれ貯留させる第１,第２貯湯タンクと、第１,第２貯湯タンク内の水をそれぞれ加熱して温水とする第１,第２加熱装置と、第１,第２貯湯タンクのうちの一つから温水を給湯パイプに選択的に供給させる温水供給切替手段と、この温水供給切替手段を作動制御する制御回路とを備え、この制御回路は、第１貯湯タンクを優先する第１優先モードが設定されると第１貯湯タンクの温水が前記給湯パイプに供給可能に、第２貯湯タンクを優先する第２優先モードが設定されると第２貯湯タンクの温水が前記給湯パイプに供給可能に前記温水供給切替手段を作動制御する給湯システムであって、
前記制御回路は、所定期間毎に第１優先モードと第２優先モードとを交互に切り替えていくことを特徴とする給湯システム。
【請求項２】
第１,第２貯湯タンク内の温水温度をそれぞれ検出する第１,第２温度検出手段を備え、
前記制御回路は、第１優先モードが設定されている場合に、第２温度検出手段が検出する温度が所定温度より高いとき、第１温度検出手段が検出する温度が所定温度以下になったとき、前記温水供給切替手段を作動制御して第２貯湯タンクの温水を前記給湯パイプに供給可能にし、
第２優先モードが設定されている場合に、第１温度検出手段が検出する温度が所定温度より高いとき、第２温度検出手段が検出する温度が所定温度以下になったとき、前記温水供給切替手段を制御して第１貯湯タンクの温水を前記給湯パイプに供給可能にすることを特徴とする請求項１に記載の給湯システム。
【請求項３】
第１,第２加熱装置は第１,第２ヒートポンプであり、この第１,第２ヒートポンプと第１,第２貯湯タンクとをそれぞれ循環パイプで接続し、
第１,第２貯湯タンク内の水を第１,第２ヒートポンプへ前記循環パイプを介して循環させることにより該水を温水にしていき、
前記温水供給切替手段は、前記給水源と、第１,第２貯湯タンクのどちらか一方に切り換えて第１貯湯タンクまたは第２貯湯タンクとを連通させて、前記給水原からの水を第１貯湯タンクまたは第２貯湯タンクに供給可能にする電磁切替弁であることを特徴とする請求項１または請求項２に記載の給湯システム。
【発明の詳細な説明】
【技術分野】
【０００１】
この発明は、複数の貯湯タンクを用いた給湯システムに関するものである。
【背景技術】
【０００２】
従来の給湯システムには、温水を貯湯タンクに貯湯しておいて、この貯湯タンクに貯湯された温水を給湯パイプを介して例えば浴室等の被給湯部に給湯するようにしたものがある。このような給湯システムとしては、給水源からの水を加熱装置で加熱して温水にし、この温水を貯湯タンクに供給して貯湯する加熱温水貯湯タイプのものや、給水源から貯湯タンクに供給した水を加熱装置で加熱して温水にするタンク内温水加熱タイプのものが知られている（例えば、特許文献１，２参照）。
【０００３】
このような給湯システムにおいて、大容量の温水を被給湯部に給湯する場合、給湯される温水の温度が急激に低下しないようにする必要がある。このためには、２以上の加熱装置と一つの貯湯タンクを使用するか、大型の加熱装置と２以上の貯湯タンクを使用することが考えられる。
【先行技術文献】
【特許文献】
【０００４】
【特許文献１】特開２００３−１６６７４９号公報
【特許文献１】特開２００８−１５７５５１号公報
【発明の概要】
【発明が解決しようとする課題】
【０００５】
しかし、従来の給湯システムでは、大容量の給湯を前提としているために、多数の貯湯タンクを設けた場合、給湯の偏流すなわち各貯湯タンクから出湯される温水流量の変動を避けることが難しいものであった。
【０００６】
そこで、この発明は、簡単な構成で給湯の偏流がなく大容量の給湯が可能な給湯システムを提供することを目的とするものである。
【課題を解決するための手段】
【０００７】
請求項１の発明は、給水源からの水をそれぞれ貯留させる第１,第２貯湯タンクと、第１,第２貯湯タンク内の水をそれぞれ加熱して温水とする第１,第２加熱装置と、第１,第２貯湯タンクのうちの一つから温水を給湯パイプに選択的に供給させる温水供給切替手段と、この温水供給切替手段を作動制御する制御回路とを備え、この制御回路は、第１貯湯タンクを優先する第１優先モードが設定されると第１貯湯タンクの温水が前記給湯パイプに供給可能に、第２貯湯タンクを優先する第２優先モードが設定されると第２貯湯タンクの温水が前記給湯パイプに供給可能に前記温水供給切替手段を作動制御する給湯システムであって、
前記制御回路は、所定期間毎に第１優先モードと第２優先モードとを交互に切り替えていくことを特徴とする。
【発明の効果】
【０００８】
この構成によれば、簡単な構成で給湯の偏流がなく大容量の給湯を行うことができる。
【図面の簡単な説明】
【０００９】
【図１】この発明に係る給湯システムの配管系統図である。
【図２】図１の制御回路によるタンク１優先の給湯制御のフローチャートである。
【図３】図１の制御回路によるタンク２優先の給湯制御のフローチャートである。
【発明を実施するための形態】
【００１０】
以下、この発明の実施の形態を図面に基づいて説明する。
[構成]
図１において、１は水道パイプ等の給水源、２は給水源１に接続された止水栓、３は止水栓２の下流側に接続されたストレーナである。
【００１１】
また、４はストレーナ３の下流側に配設された三方電磁切換弁（温水供給切替手段）である。この三方電磁切換弁４は第１〜第３ポート（第１〜第３水出入口である第１〜第３接続口）４ａ〜４ｃを有する。そして、第１ポート４ａにはストレーナ３の水流出側が接続され、第２ポート４ｂには給水パイプ５の一端が接続され、第３ポート４ｃには給水パイプ６の一端が接続されている。
【００１２】
７は給水パイプ５に接続される第１貯湯タンク、８は給水パイプ６に接続される第２貯湯タンクである。この第１貯湯タンク７は底壁７ａ及び上壁７ｂを有し、底壁７ａには給水口７ａ１が設けられ、上壁７ｂには温水出口（湯出口）７ｂ１が設けられている。また、第２貯湯タンク８は底壁８ａ及び上壁８ｂを有し、底壁８ａには給水口８ａ１が設けられ、上壁８ｂには温水出口（湯出口）８ｂ１が設けられている。そして、給水口７ａ１には給水パイプ５の他端が接続され、給水口８ａ１には給水パイプ６の他端が接続されている。
【００１３】
また、第１貯湯タンク７の温水出口７ｂ１には第１自動空気抜き弁９を介して一方向弁１０の水流入側が接続され、第２貯湯タンク８の上壁８ｂの温水出口８ｂ１には第２自動空気抜き弁１１を介して一方向弁１２の水流入側が接続されている。しかも、一方向弁１０の水流出側及び一方向弁１２の水流出側には給湯パイプ１３が接続されている。尚、第１自動空気抜き弁９及び第２自動空気抜き弁１１には、周知の構造を採用できるので、その詳細な説明は省略する。
【００１４】
さらに、１４は第１貯湯タンク７内の水を加熱する第１ヒートポンプ（第１熱源としての第１加熱装置）、１５は第２貯湯タンク８内の水を加熱する第２ヒートポンプ（第２熱源としての第２加熱装置）である。
【００１５】
この第１ヒートポンプ１４は、給水側が循環パイプ１４ａを介して第１貯湯タンク７の底部側に接続されていると共に、排出側が循環パイプ１４ｂを介して第１貯湯タンク７の上部側に接続されている。また、第２ヒートポンプ１５は、給水側が循環パイプ１５ａを介して第２貯湯タンク８の底部側に接続されていると共に、排出側が循環パイプ１５ｂを介して第２貯湯タンク８の上部側に接続されている。
【００１６】
また、第１貯湯タンク７には、第１温度検出手段としての第１温度センサ１６が設けられていると共に、第１温度センサ１６からの温度検出信号を入力する第１温度制御回路（制御手段）１７を有する本体基板(図示せず)が設けられている。この第１温度制御回路１７は、第１温度センサ１６からの温度検出信号に基づいて、第１貯湯タンク７内の水が所定の温度になるように第１ヒートポンプ１４を作動制御するようになっている。尚、第１温度センサ１６は一つのみを図示したが、実際には複数個（例えば10個程度）の第１温度センサ１６を第１貯湯タンク７内の上下及び水平方向に所定間隔で配設する。
【００１７】
第２貯湯タンク８には、第２温度検出手段としての第２温度センサ１８が設けられていると共に、第２温度センサ１８からの温度検出信号を入力する第２温度制御回路（制御手段）１９を有する本体基板(図示せず)が設けられている。この第２温度制御回路１９は、第２温度センサ１８からの温度検出信号に基づいて、第２貯湯タンク８内の水が所定の温度になるように第２ヒートポンプ１５を作動制御するようになっている。尚、第２温度センサ１８は一つのみを図示したが、実際には複数個（例えば10個程度）の第１温度センサ１８を第２貯湯タンク８内の上下及び水平方向に所定間隔で配設する。
【００１８】
さらに、第１，第２温度センサ１６，１８からの温度検出信号は第１，第２温度制御回路１７，１９を介してシステム制御回路（制御手段）２０に入力される。このシステム制御回路２０は、第１貯湯タンク７に設けられていて、三方電磁切換弁４の切替制御を行うようになっている。
【００１９】
このシステム制御回路２０は、第１温度センサ１６からの温度検出信号に基づいて、第１貯湯タンク７内に温水があるか否かを判断すると共に、第２温度センサ１８からの温度検出信号に基づいて、第２貯湯タンク８内に温水があるか否かを判断するようになっている。
【００２０】
また、システム制御回路２０は、第１貯湯タンク７を優先するタンク１優先モードと、第２貯湯タンク８を優先するタンク２優先モードのいずれか一方に設定できるようになっている。しかも、システム制御回路２０は、所定期間毎に三方電磁切換弁４の切替時刻を設定できるようになっている。本実施例では、所定期間を例えば１日とする。そして、システム制御回路２０は、例えば、毎日、Ａｍ７：００になるとタンク優先モードの切替を実行する。このタンク優先モードにはタンク１優先モードとタンク２優先モードがあり、タンク１優先モードとタンク２優先モードの切替は1日おきに交互に行われる。
[作用]
次に、このような給湯システムの第１，第２温度制御回路１７，１９及びシステム制御回路２０による制御作用を説明する。
Ａ．第１，第２温度制御回路１７，１９による制御
第１温度制御回路１７は、第１温度センサ１６からの温度検出信号を受けて、第１貯湯タンク７内の水が所定温度（設定温度）より高いか否かを判断する。
【００２１】
この第１温度センサ１６は複数設けられているので、第１温度制御回路１７は各第１温度センサ１６からの温度検出信号は所定時間毎（例えば、２０秒おき）に取得する。しかも、第１温度制御回路１７は、複数の第１温度センサ１６から得られる温度の平均値から第１貯湯タンク７内の水が所定温度（設定温度）より高いか否かを判断する。尚、給湯時以外の第１貯湯タンク７内の水の加熱は、通常、深夜割引料金の時間帯に第１ヒートポンプ１４の作動制御することで行われる。
【００２２】
また、第２温度制御回路１９は、第１温度制御回路１７と同様に制御されるので、その説明は省略する。
【００２３】
尚、所定温度（設定温度）としては、例えば４７°Ｃに設定できるが、必ずしもこの温度に限定されるものではない。
Ｂ．システム制御回路２０による制御
このような給湯システムにおいて、止水栓２は開いた状態になっていると共に、システム制御回路２０は三方電磁切換弁４のポート４ｂ，４ｃを連通させ且つポート４ａとポート４ｂ，４ｃとの連通を遮断させている。
【００２４】
そして、図示しない給湯スイッチから給湯信号がシステム制御回路２０に入力されると、システム制御回路２０は以下の給湯制御を開始する。
１．タンク１優先モード
（１）．ステップ１（切替時刻：初期状態決定）
このシステム制御回路２０は、タンク１優先モードに設定されている場合、ステップ１のＳ１ａにおいて、切替時刻（例えば、Ａｍ７：００）になると第１温度センサ１６からの温度検出信号に基づいて、第１貯湯タンク７内に温水(湯)があるか否かを判断する。
【００２５】
ここでいう温水(湯)とは、所定温度（設定温度）以上の高い温度の温水(湯)を意味する。この点は、第１，第２貯湯タンク７，８内の温水(湯)について同じ意味で使用される。
【００２６】
従って、第１貯湯タンク７内に温水(湯)があるか否かとは、第１貯湯タンク７内に所定温度（設定温度）以上の高い温度の温水(湯)があるか否かを意味する。また、後述するように、第２貯湯タンク８内に温水(湯)があるか否かとは、第２貯湯タンク８内に所定温度（設定温度）以上の高い温度の温水(湯)があるか否かを意味する。
【００２７】
尚、説明の簡素化のために、所定温度（設定温度）以上の高い温度の温水(湯)という表現は、以下単に温水(湯)と表現する。
(1-1).第１貯湯タンク７内に温水有り（湯あり）の場合
そして、システム制御回路２０は、Ｓ１ｂにおけるように第１貯湯タンク７内に温水がある場合、第２温度センサ１８からの温度検出信号に基づいて、第２貯湯タンク８内に温水（湯）があるか否かを判断する。
【００２８】
次に、システム制御回路２０は、Ｓ１ｃのように第２貯湯タンク８内に温水（湯）があっても、Ｓ１ｄのように第２貯湯タンク８内に温水（湯）がなくても、Ｓ１eにおいて三方電磁切換弁４のタンク１切替を行って第１，第２ポート４ａ，４ｂを連通させて、ステップ２に移行する。
【００２９】
このタンク１切替により、給水源１からの水は止水栓２，ストレーナ３及び三方電磁切換弁４を介して第１貯湯タンク７に供給可能な状態となる。そして、給湯パイプ１３に接続された図示しない弁等が開かれると、第１貯湯タンク７内の温水が第１自動空気抜き弁９及び一方向弁１０を介して給湯パイプ１３に供給され、給湯パイプ１３に供給された温水(湯)は被給湯部に供給される。
(1-2).第１，第２貯湯タンク７，８内に温水無し（湯なし）の場合
一方、システム制御回路２０は、Ｓ１ａの判断においてＳ１ｆのように第１貯湯タンク７内に温水（湯）が無い場合、第２温度センサ１８からの温度検出信号に基づいて、第２貯湯タンク８内に温水（湯）があるか否かを判断する。
【００３０】
そして、システム制御回路２０は、Ｓ１ｇのように第２貯湯タンク８内に温水（湯）が無い場合、Ｓ１eにおいて三方電磁切換弁４のタンク１切替を行って第１，第２ポート４ａ，４ｂを連通させて、ステップ２に移行する。
【００３１】
このタンク１切替により、給水源１からの水は止水栓２，ストレーナ３及び三方電磁切換弁４を介して第１貯湯タンク７に供給可能な状態となる。そして、給湯パイプ１３に接続された図示しない弁等が開かれると、第１貯湯タンク７内の温水が第１自動空気抜き弁９及び一方向弁１０を介して給湯パイプ１３に供給され、給湯パイプ１３に供給された温水(湯)は被給湯部に供給される。
(1-3).第１貯湯タンク７内に温水無し（湯なし）、第２貯湯タンク８内に温水（湯）が有りの場合
また、システム制御回路２０は、Ｓ１ｆで第１貯湯タンク７内に温水（湯）が無く、Ｓ１ｈのように第２貯湯タンク８内に温水（湯）がある場合、ステップ２のＳ２ｅに移行して三方電磁切換弁４のタンク２切替を行って第１，第３ポート４ａ，４ｃを連通させる。
【００３２】
このタンク２切替により、給水源１からの水は止水栓２，ストレーナ３及び三方電磁切換弁４を介して第２貯湯タンク８に供給可能な状態となる。そして、給湯パイプ１３に接続された図示しない弁等が開かれると、第２貯湯タンク８内の温水が第２自動空気抜き弁１１及び一方向弁１２を介して給湯パイプ１３に供給され、給湯パイプ１３に供給された温水(湯)は被給湯部に供給される。
（２）．ステップ２（優先側湯温低下）の判断
(2-1).第１貯湯タンク７内の温水温度（湯温）低下の検出
システム制御回路２０は、ステップ１の(1-1)，(1-2)のタンク１切替（第１，第２ポート４ａ，４ｂの連通）状態から、このステップ２に移行すると、第１温度センサ１６からの温度検出信号に基づいて、第１貯湯タンク７内に温水（湯）があるか否かを判断する。
【００３３】
そして、システム制御回路２０は、Ｓ２ａにおけるように第１貯湯タンク７内に温水(湯)がある場合、第１貯湯タンク７内に温水（湯）があるか否かの判断を繰り返す。
【００３４】
また、システム制御回路２０は、Ｓ２ｂのように第１貯湯タンク７内に温水(湯)が無いと判断すると、第２温度センサ１８からの温度検出信号に基づいて、第２貯湯タンク８内に温水（湯）があるか否かを判断する。
【００３５】
そして、システム制御回路２０は、Ｓ２ｃのように第２貯湯タンク８内に温水(湯)がある場合、第２貯湯タンク８内に温水（湯）があるか否かの判断を繰り返すと共に、Ｓ２ｅに移行して三方電磁切換弁４のタンク２切替を行って第１，第３ポート４ａ，４ｃを連通させ、ステップ３に移行する。
【００３６】
このタンク２切替により、給水源１からの水は止水栓２，ストレーナ３及び三方電磁切換弁４を介して第２貯湯タンク８に供給可能な状態となる。そして、給湯パイプ１３に接続された図示しない弁等が開かれると、第２貯湯タンク８内の温水が第２自動空気抜き弁１１及び一方向弁１２を介して給湯パイプ１３に供給され、給湯パイプ１３に供給された温水(湯)は被給湯部に供給される。
(2-2).第１，第２貯湯タンク７，８内の温水温度（湯温）低下の検出
システム制御回路２０は、Ｓ２ｂのように第１貯湯タンク７内に温水(湯)が無いと判断すると共に、Ｓ２ｄのように第２貯湯タンク８内に温水(湯)が無いと判断した場合は、第２貯湯タンク８内に温水（湯）が有りと判断するまで、第２貯湯タンク８内に温水（湯）があるか否かの判断を繰り返す。第２貯湯タンク８内に温水（湯）が有りと判断した場合は、Ｓ２ｅに移行して三方電磁切換弁４のタンク２切替を行って第１，第３ポート４ａ，４ｃを連通させ、ステップ３に移行する。
【００３７】
このタンク２切替により、給水源１からの水は止水栓２，ストレーナ３及び三方電磁切換弁４を介して第２貯湯タンク８に供給可能な状態となる。そして、給湯パイプ１３に接続された図示しない弁等が開かれると、第２貯湯タンク８内の温水が第２自動空気抜き弁１１及び一方向弁１２を介して給湯パイプ１３に供給され、給湯パイプ１３に供給された温水(湯)は被給湯部に供給される。
（３）．ステップ３（非優先側湯温低下）の判断
システム制御回路２０は、このステップ３に移行すると、第２温度センサ１８からの温度検出信号に基づいて、第２貯湯タンク８内に温水（湯）があるか否かを判断する。
【００３８】
そして、システム制御回路２０は、Ｓ３ａのように第２貯湯タンク８内に温水（湯）がある場合、第２貯湯タンク８内に温水（湯）があるか否かを判断を繰り返す。
【００３９】
また、システム制御回路２０は、Ｓ３ｂのように第２貯湯タンク８内に温水（湯）が無い場合、第１温度センサ１６からの温度検出信号に基づいて、第１貯湯タンク７内に温水があるか否かを判断する。
【００４０】
そして、システム制御回路２０は、Ｓ３ｃのように第１貯湯タンク７内に温水(湯)がある場合、第１貯湯タンク７内に温水（湯）があるか否かを判断を繰り返すと共に、Ｓ３ｅに移行して三方電磁切換弁４のタンク１切替を行って第１，第２ポート４ａ，４ｂを連通させ、ステップ４に移行する。
【００４１】
このタンク１切替により、給水源１からの水は止水栓２，ストレーナ３及び三方電磁切換弁４を介して第１貯湯タンク７に供給可能な状態となる。そして、給湯パイプ１３に接続された図示しない弁等が開かれると、第１貯湯タンク７内の温水が第１自動空気抜き弁９及び一方向弁１０を介して給湯パイプ１３に供給され、給湯パイプ１３に供給された温水(湯)は被給湯部に供給される。
(3-2).第１，第２貯湯タンク７，８内の温水温度（湯温）低下の検出
システム制御回路２０は、Ｓ３ｂのように第２貯湯タンク８内に温水(湯)が無いと判断すると共に、Ｓ３ｄのように第１貯湯タンク７内に温水(湯)が無いと判断した場合は、第１貯湯タンク７内に温水(湯)が有りと判断するまで、第１貯湯タンク７内に温水(湯)があるか否かの判断を繰り返す。第１貯湯タンク７内に温水(湯)が有りと判断した場合は、Ｓ３ｅに移行して三方電磁切換弁４のタンク１切替を行って第１，第２ポート４ａ，４ｂを連通させ、ステップ４に移行する。
【００４２】
このタンク１切替により、給水源１からの水は止水栓２，ストレーナ３及び三方電磁切換弁４を介して第１貯湯タンク７に供給可能な状態となる。そして、給湯パイプ１３に接続された図示しない弁等が開かれると、第１貯湯タンク７内の温水が第１自動空気抜き弁９及び一方向弁１０を介して給湯パイプ１３に供給され、給湯パイプ１３に供給された温水(湯)は被給湯部に供給される。
（４）．ステップ４（切替時刻まで切替なし）
システム制御回路２０は、ステップ３から本ステップに移行すると、第１温度センサ１６からの温度検出信号に基づいて、第１貯湯タンク７内に温水があるか否かの判断を継続すると共に、第２温度センサ１８からの温度検出信号に基づいて、第２貯湯タンク８内に温水（湯）があるか否かの判断を継続するが、次の切替時刻までは三方電磁切換弁４の切替を行わない。
２．タンク２優先モード
そして、システム制御回路２０は、図２のステップ４に移行した後、次の切替時刻になると、図３のタンク２優先モードの制御を実行する。このような切替時刻は、１日（所定期間）おきに設定されている。尚、所定期間としては２日以上であっても良いが、長い日数を所定期間として設定しない。
【００４３】
このタンク２優先モードでは、システム制御回路２０が図３に従って給湯制御を実行する。この図３は、図２のタンク１をタンク２に変えると共に、図２のタンク２をタンク１に変えたものである。そして、タンク２優先モードでは、第２貯湯タンク８内の温水(湯)があるか否かの判断を優先して、タンク1切替，タンク2切替の制御が実行される。すなわち、上述したタンク１優先モードの制御において、第１貯湯タンク７と第２貯湯タンク８を入れ替えると共に、このときの三方電磁切換弁４の切替制御におけるタンク1切替とタンク2切替を入れ替えたものである。
【００４４】
以上説明したように、この発明の実施の形態の給湯システムは、給水源１からの水をそれぞれ貯留させる複数の貯湯タンク（７，８）と、前記各貯湯タンク（７，８）内の水をそれぞれ加熱して温水とする複数の加熱装置（第1，第2ヒートポンプ１４，１５）と、前記各貯湯タンク（７，８）内の温水温度をそれぞれ検出する複数の温度検出手段(第１，第２温度センサ１６，１８)と、前記複数の貯湯タンク（７，８）の一つから温水を給湯パイプ１３に選択的に供給させる温水供給切替手段（三方電磁切換弁４）と、前記各温度検出手段(第１，第２温度センサ１６，１８)からの温度検出信号に基づいて前記各加熱装置（第1，第2ヒートポンプ１４，１５）を作動制御すると共に前記温水供給切替手段（三方電磁切換弁４）を作動制御する制御回路（システム制御回路２０）と、を備えている。しかも、前記制御回路（システム制御回路２０）は、前記温水を供給させる貯湯タンク（７，８の一方）の温水温度が所定温度以下のときに、前記温水供給切替手段（三方電磁切換弁４）を作動制御して他の貯湯タンク（７，８の他方）から温水を前記給湯パイプ１３に供給させるようになっている。
【００４５】
この構成によれば、安価且つ簡単な構成で給湯の偏流がなく大容量の給湯ができる。
【００４６】
尚、上述した実施例では、加熱装置にヒートポンプを用いた例を示したが、ヒータやヒートポンプ以外の他の加熱手段を加熱装置として用いることもできる。また、上述した実施例では、温水供給切替手段として三方電磁切換弁４を用いて、複数の貯湯タンク（７，８）への給水を制御するようにした例を示したが、必ずしもこれに限定されるものではない。例えば、三方電磁切換弁４に代えて通常の電磁弁を複数設けて、複数の電磁弁で複数の貯湯タンク（７，８）への給水を個々に行うようにすることもできる。さらに、給湯の切替は、複数の貯湯タンク（７，８）の温水出口（７ｂ１，８ｂ１）に電磁弁をそれぞれ設けて、この各電磁弁の開閉制御を行うことにより、実行することもできる。
【００４７】
また、この発明の実施の形態の温水供給システムにおいて、前記制御回路（システム制御回路２０）は、前記温水供給切替手段（三方電磁切換弁４）を作動制御して、前記温水を前記給湯パイプ１３に供給させる前記貯湯タンク（７，８）の優先順位を所定期間毎に切り替えるようになっている。
【００４８】
この構成によれば、貯湯タンク（７，８）の優先順位を所定期間毎に切り替える構成としたので、複数の貯湯タンク（７，８）の一つのみを常時使用（長期使用）するようなことを回避できる。これにより、複数の貯湯タンク（７，８）の残りのものの内部が不衛生になるのを防止できる。しかも、２以上の小型の加熱装置と一つの貯湯タンクを用いても、各加熱装置の稼働時間が偏るのを防止できる。すなわち、熱源としての加熱装置（第１，第２ヒートポンプ１４，１５）の稼働時間の平準化を行うことができるので、給湯システムの劣化のバラツキを抑制できる。
【００４９】
さらに、この発明の実施の形態の温水供給システムにおいて、前記温水供給切替手段は前記給水源からの水を前記複数の加熱装置（第1，第2ヒートポンプ１４，１５）の一つに切り変えて供給する電磁切替弁（三方電磁切換弁４）である。
【００５０】
この構成によれば、簡単な構成で、複数の貯湯タンク（７，８）から選択的に給湯を行うことができる。
【符号の説明】
【００５１】
１・・・給水源
３・・・三方電磁切換弁（温水供給切替手段）
７・・・第１貯湯タンク
８・・・第２貯湯タンク
１３・・・給湯パイプ
１４・・・第１ヒートポンプ（第１加熱装置）
１５・・・第２ヒートポンプ（第２加熱装置）
１６・・・第１温度センサ（第１温度検出手段）
１８・・・第２温度センサ（第２温度検出手段）
２０・・・システム制御回路（制御回路）
【図１】
0005436075.tif 000002
【図２】
0005436075.tif 000003
【図３】
0005436075.tif 000004